(57)【要約】【課題】画面全体でバランスのとれた色ずれ調整を短時間で簡易に実行可能な投射表示装置を提供する。【解決手段】投射表示装置は、画像を生成する画像生成手段と、レンズを含むレンズ手段を光軸と直交する方向に移動させるシフト手段と、シフト手段の位置を検出する第１の検出手段と、光軸方向におけるレンズの位置と、光軸と直交する方向におけるシフト手段の位置と、レンズの位置およびシフト手段の位置に応じて変化する色ずれ情報とに基づいて、１つの調整位置を決定する制御手段とを有し、制御手段は、１つの調整位置における色ずれ量を小さくすることによって、投射画面上で設定された複数の補正対象位置における色ずれ量が小さくなるように、１つの調整位置を決定する。【選択図】図１
2016102960.tif 000002
【特許請求の範囲】
【請求項１】
画像を生成する画像生成手段と、
レンズを含むレンズ手段を光軸と直交する方向に移動させるシフト手段と、
前記シフト手段の位置を検出する第１の検出手段と、
光軸方向における前記レンズの位置と、前記光軸と直交する方向における前記シフト手段の位置と、該レンズの位置および該シフト手段の位置に応じて変化する色ずれ情報と、に基づいて、１つの調整位置を決定する制御手段と、を有し、
前記制御手段は、前記１つの調整位置における色ずれ量を小さくすることによって、投射画面上で設定された複数の補正対象位置における色ずれ量が小さくなるように、前記１つの調整位置を決定する、ことを特徴とする投射表示装置。
【請求項２】
前記制御手段は、前記複数の補正対象位置における前記色ずれ量の最大値が最小となるように色ずれ調整可能な前記１つの調整位置を決定することを特徴とする請求項１に記載の投射表示装置。
【請求項３】
前記制御手段は、前記複数の補正対象位置における前記色ずれ量の総和が最小となるように色ずれ調整可能な前記１つの調整位置を決定することを特徴とする請求項１に記載の投射表示装置。
【請求項４】
前記制御手段は、前記複数の補正対象位置に応じた重み付けを行って前記１つの調整位置を決定することを特徴とする請求項１乃至３のいずれか１項に記載の投射表示装置。
【請求項５】
前記複数の補正対象位置をユーザが指定可能な指定手段を更に有することを特徴とする請求項１乃至４のいずれか１項に記載の投射表示装置。
【請求項６】
前記制御手段は、決定された前記１つの調整位置を前記投射画面上に表示することを特徴とする請求項１乃至５のいずれか１項に記載の投射表示装置。
【請求項７】
前記制御手段は、決定された前記１つの調整位置に対して色ずれ調整を行うことを特徴とする請求項１乃至６のいずれか１項に記載の投射表示装置。
【請求項８】
前記レンズを含み、該レンズを前記光軸方向に移動可能な前記レンズ手段と、
前記レンズの位置を検出する第２の検出手段と、
前記色ずれ情報を記憶する記憶手段と、を更に有することを特徴とする請求項１乃至７のいずれか１項に記載の投射表示装置。
【請求項９】
前記制御手段は、前記レンズ手段に設けられた記憶手段に記憶された前記色ずれ情報に基づいて、前記１つの調整位置を決定することを特徴とする請求項１乃至７のいずれか１項に記載の投射表示装置。
【請求項１０】
前記制御手段は、前記レンズの位置、前記シフト手段の位置、および、前記色ずれ情報に基づいて、前記１つの調整位置を演算により決定することを特徴とする請求項１乃至９のいずれか１項に記載の投射表示装置。
【請求項１１】
前記制御手段は、前記レンズの位置、前記シフト手段の位置、および、前記色ずれ情報と前記投射画面上の各調整位置との関係を示す情報に基づいて、前記１つの調整位置を決定することを特徴とする請求項１乃至９のいずれか１項に記載の投射表示装置。
【請求項１２】
前記画像生成手段は、前記複数の補正対象位置の前記色ずれ量を小さくする補正手段であることを特徴とする請求項１乃至１１のいずれか１項に記載の投射表示装置。
【請求項１３】
前記画像生成手段は、互いに異なる色の画像を生成する複数の画像生成素子を有することを特徴とする請求項１乃至１２のいずれか１項に記載の投射表示装置。
【発明の詳細な説明】
【技術分野】
【０００１】
本発明は、プロジェクタなどの投射表示装置に係り、特に複数の画像生成素子を有する投射表示装置に関する。
【背景技術】
【０００２】
近年、投射表示装置において、画像生成素子の画素サイズが小型化している。また、投射表示装置における各色の色ずれ（画素ずれ）は、０．１画素単位で調整可能である。このため、投射表示装置の色ずれ（画素ずれ）調整を行う際には、高い検出精度が要求される。
【０００３】
投射表示装置は、画面の特定位置（主に画面中心）だけでなく、画面全域にわたり高画質が求められる。このため、投射表示装置の設置場所において、画面全域の複数個所に関して色ずれ検出と色ずれ調整とを繰り返し、画面全域でバランスのとれた色ずれ調整が必要となる。その結果、色ずれ調整には多大な時間および労力を要する。
【０００４】
そこで特許文献１には、オフセット誤差（色ずれ量）を簡易かつ高精度に測定して表示素子の位置を調整可能な投射型表示装置が開示されている。
【先行技術文献】
【特許文献】
【０００５】
【特許文献１】特開２０１１−８５８６０号公報
【発明の概要】
【発明が解決しようとする課題】
【０００６】
ところで、色ずれ量が投射画面の位置に応じて異なるのは、投射光学系により、像高に応じて設計上の色ずれ量が異なるためである。特許文献１の投射型表示装置は、色ずれ量を検出するための撮像光学系が高いＭＴＦ性能および階調特性を有しない場合でも、オフセット誤差（色ずれ量）を容易かつ高精度に測定可能である。しかし、特許文献１の構成では、前述のような投射光学系に起因する問題を解決することはできない。
【０００７】
そこで本発明は、画面全体でバランスのとれた色ずれ調整を短時間で簡易に実行可能な投射表示装置を提供する。
【課題を解決するための手段】
【０００８】
本発明の一側面としての投射表示装置は、画像を生成する画像生成手段と、レンズを含むレンズ手段を光軸と直交する方向に移動させるシフト手段と、前記シフト手段の位置を検出する第１の検出手段と、光軸方向における前記レンズの位置と、前記光軸と直交する方向における前記シフト手段の位置と、該レンズの位置および該シフト手段の位置に応じて変化する色ずれ情報とに基づいて、１つの調整位置を決定する制御手段とを有し、前記制御手段は、前記１つの調整位置における色ずれ量を小さくすることによって、投射画面上で設定された複数の補正対象位置における色ずれ量が小さくなるように、前記１つの調整位置を決定する。
【０００９】
本発明の他の目的及び特徴は、以下の実施例において説明される。
【発明の効果】
【００１０】
本発明によれば、画面全体でバランスのとれた色ずれ調整を短時間で簡易に実行可能な投射表示装置を提供することができる。
【図面の簡単な説明】
【００１１】
【図１】本実施形態において、レンズの使用像高に応じて色ずれが異なることの説明図である。
【図２】本実施形態において、レンズのズームポジションに応じて色ずれが異なることの説明図である。
【図３】本実施形態において、レンズのズームポジションに応じて色ずれが異なることの説明図である。
【図４】実施例１において、投射画面上のポジションごとの色ずれ量および色ずれ方向の説明図である。
【図５】実施例１において、最大の色ずれポイントでの色ずれ調整の説明図である。
【図６】実施例１、２において、色ずれ調整の際の数値処理の説明図である。
【図７】実施例１において、投射画面上で色ずれ調整の位置を指示することの説明図である。
【図８】本実施形態において、投射画面上でユーザが所定箇所の重要度を設定することの説明図である。
【図９】実施例３において、重要度エリアに応じた数値処理の説明図である。
【図１０】実施例４における投射表示装置の説明図である。
【図１１】本実施形態における投射レンズの外観斜視図である。
【図１２】本実施形態におけるレンズシフト機構の構成図である。
【図１３】本実施形態における投射表示装置の説明図である。
【発明を実施するための形態】
【００１２】
以下、本発明の実施形態について、図面を参照しながら詳細に説明する。
【００１３】
まず、図１３を参照して、本実施形態における投射表示装置の構成について説明する。図１３は、本実施形態における投射表示装置１００（プロジェクタ）の説明図である。図１３（ａ）は投射表示装置１００のブロック図、図１３（ｂ）は指定装置１２２の構成図、図１３（ｃ）、（ｄ）は投射画面１２３Ａ、１２３Ｂをそれぞれ示している。
【００１４】
図１３（ａ）において、１０１Ｒ、１０１Ｇ、１０１Ｂは、任意の画像を生成するための複数の反射型液晶パネル（複数の画像生成素子を含む画像生成手段）である。反射型液晶パネル１０１Ｒ、１０１Ｇ、１０１Ｂは、画像表示位置を画素単位で移動させることにより、投射画面上の色ずれ（色ずれ量および色ずれ方向）を補正する補正手段として用いられる。１０２は、１つ以上のレンズ１０２ａ（光学部品）を移動させることにより投射倍率を可変とする投射レンズ（レンズ手段）である。１０３は、投射レンズ１０２に設けられたレンズ１０２ａの位置を検出するレンズ絶対値エンコーダ（第２の検出手段）である。１０４は、投射レンズ１０２を保持し、投射レンズ１０２の光軸ＯＡに垂直な面内において投射レンズ１０２を移動可能なレンズシフト機構（シフト手段）である。１０５は、レンズシフト機構１０４の位置を検出するシフト絶対値エンコーダ（第１の検出手段）である。１０６は、投射レンズ１０２におけるレンズ１０２ａの位置と像高（使用像高）に応じて変動する色ずれ情報（色ずれ量および色ずれ方向）を記憶するメモリ（記憶手段）である。
【００１５】
１０７は演算装置（制御手段）、１０８は色分離合成光学系、１０９は照明光学系である。１１０は光源ランプ（光源手段）である。１１１は、光源ランプ１１０からの波長成分のうち短波長成分を除去するＵＶカットフィルタである。１１２Ａ、１１２Ｂは、反射型液晶パネル１０１Ｒ、１０１Ｇ、１０１Ｂ上を均一に照明するためのフライアイレンズである。１１３は、偏光を揃えるためのＰＳ変換素子である。１１４は、反射型液晶パネル１０１Ｒ、１０１Ｇ、１０１Ｂの照射領域に集光するためのコンデンサレンズである。１１５は、光を波長帯域ごとに分離する（Ｇ光とＲＢ光とを分離する）ダイクロイックミラーである。１１６はＧ用プリズムである。１１７は、波長帯域ごとに偏光（Ｒ光の偏光）を変えるカラーセレクトである。１１８はＲＢ用プリズムである。１１９は、ＲＧＢの各光を投射レンズ１０２に導く合成プリズムである。
【００１６】
本実施形態において、ユーザは、図１３（ｂ）に示されるような指定装置１２２（操作手段）を用いて、投射画面１２３Ａ上で特に色ずれ量を小さくしたい複数のポイント１２０ａ〜１２０ｅ（補正対象位置）を指定する。そして演算装置１０７は、図１３（ｃ）、（ｄ）に示されるように、ユーザに指定されたポイント１２０ａ〜１２０ｅにおける色ずれ量が小さくなるように色ずれ調整可能な１つの調整ポイント１２１（１つの調整位置）を決定し、投射画面１２３Ｂ上に表示する。本実施形態において、演算装置１０７は、レンズ絶対値エンコーダ１０３、シフト絶対値エンコーダ１０５、および、メモリ１０６から得られた色ずれ情報に基づいて、調整ポイント１２１を決定する。演算装置１０７は、調整ポイント１２１の色ずれ量を調整することにより、５つのポイント１２０ａ〜１２０ｅの色ずれ量を小さくすることができる。ここで、前述の複数のポイント（補正対象位置）は、出荷時点で製品が記憶しておいてもよいし、ユーザが予め設定しておいてもよいし、今のレンズの状態に基づいて決定してもよい。
【００１７】
次に、図１乃至図３、および、図８を参照して、投射画面１２上の複数のポイント間で色ずれ（色ずれ量および色ずれ方向）が互いに異なる原因について説明する。図１（ａ）、図２、および、図３は、レンズＡ（投射光学系）のズームポジション（ズーム位置）がＷＩＤＥ、ＭＩＤＤＬＥ、および、ＴＥＬＥである場合における像高と色ずれ量との関係をそれぞれ示す図である。各図において、縦軸は色ずれ量を示し、横軸は像高を示している。図１（ｂ）は、レンズＡの有効像円２に対する投射エリア１ａ、１ｂを示す図である。投射エリア１は、有効像円２の範囲内で移動可能である。すなわち有効像円２は、投射光学系であるレンズＡを光軸に対して垂直な面で移動する、いわゆる後述のレンズシフト機構で移動可能な領域である。
【００１８】
図１（ｂ）において、投射エリア１ａは、レンズシフトを行っていない場合、すなわち、レンズＡの光軸ＯＡ（光軸中心）と投射画面の中心とが互いに一致している場合を示している。一方、投射エリア１ｂは、投射エリア１ａに対して右上にレンズシフト移動した場合（レンズＡをシフトさせた場合）を示しており、投射画面も投射エリア１ａに対して右上に移動する。光軸ＯＡから有効像円２を結んだ線で示される矢印３ｆをレンズＡの最大像高とする。図１（ａ）、図２、および、図３において、横軸に示される最大像高は１．０である。また各図において、「○」は赤光（波長帯域：６１０〜７５０ｎｍ）、「×」は緑光（波長帯域：５００〜５６０ｎｍ）、「△」は青光（波長帯域：４３５〜４８０ｎｍ）の光を示している。図１（ａ）、図２、および、図３に示されるように、像高がゼロの位置（光軸ＯＡ）において、全ての色は一致し、色ずれは生じない。図１（ｂ）に示される投射エリア１ｂにおいて、像高（使用像高）が０．９であるポイント３ｃでは、図１（ａ）に示されるように、最大像高に対して９０％のポイントにおいて青光に対する緑光の色ずれ量は、３．９−１．８＝２．１μｍである。色ずれ方向は、光軸Ｏからポイント３ｃまで伸びる矢印と横軸とがなす角度４５度であり、＋２．１μｍ像高が高くなる方向（光軸Ｏから遠ざかる方向）に色がずれる。
【００１９】
色ずれ調整の際に考慮する投射画面１２上のポイント（補正対象位置）が、投射エリア１ｂにおける５つのポイント３ａ〜３ｅ（図８（ａ）のポイント７ａ〜７ｅにそれぞれ相当）である場合、全てのポイント３ａ〜３ｅにおいて像高は互いに異なる。図１（ａ）に示されるように、赤光、緑光、および、青光の像高に対する色ずれ量が互いに異なる変化を示すとおり、色ずれ量および色ずれ方向は互いに異なる。また、図１（ａ）、図２、および、図３に示されるように、同一のレンズにおいてズームポジション（光軸方向におけるレンズの位置）が異なる場合でも、色ずれ量は互いに異なる変化を示す。また、図示しないが、レンズの種類が互いに異なる場合でも、像高に対する色ずれ量は互いに異なる変化を示す。このように、投射画面１２上の複数のポイントの間において、像高および方向が一致することはない。このため、投射画面１２上での複数のポイントの間では、互いに異なる色ずれ量および色ずれ方向を有する。
【００２０】
以下、各実施例において具体的に説明する。
【実施例１】
【００２１】
まず、図１１を参照して、本実施形態における投射レンズ１０２（レンズＡ）の構成について説明する。図１１は投射レンズ１０２の外観斜視図であり、図１１（ａ）、（ｂ）は互いに異なる視点位置での外観図を示している。投射レンズ１０２（レンズＡ）は、レンズ駆動モータ１７ａ、１７ｂにより、フォーカスおよびズーム操作が行われる。フォーカスおよびズーム操作中の光軸ＯＡの方向（光軸方向）におけるレンズ位置は、フォーカス検出位置センサ１５およびズーム位置検出センサ１４によりそれぞれ検出される。２５ａ〜２５ｄは、投射レンズ１０２を、レンズシフト機構１０４の取り付け部２６ａ〜２６ｄ（図１２参照）にそれぞれ締結および固定するための取り付けビスである。
【００２２】
レンズＡにおける像高と色ずれとの関係は、レンズ基板１６（記憶手段を有する制御基板）に記憶される。レンズＡにおける像高と色ずれとの関係は、例えば、図１（ａ）、図２、および、図３に示されるように、光軸方向のレンズ位置により複数記憶されている。このような構成により、レンズＡ（投射レンズ１０２に含まれるレンズ１０２ａ）が投射表示装置１００に対して交換可能な場合でも、それぞれの投射レンズごとに互いに異なる像高と色ずれとの関係を投射表示装置１００の制御基板と通信することが可能である。例えば、交換可能なレンズＡの全ての像高と色ずれとの関係を予め投射表示装置１００の制御基板上に記憶させることにより、レンズ交換の際に投射表示装置１００がレンズの種類を認識することができる。その結果、装着された投射レンズ１０２における像高と色ずれとの関係を認識することができる。なお本実施形態において、像高と色ずれとの関係を記憶させる手法について限定されるものではない。
【００２３】
次に、図１２を参照して、投射表示装置１００のレンズシフト機構１０４の構成について説明する。図１２は、レンズシフト機構１０４の構成図である。投射レンズ１０２（レンズＡ）は、取り付けビス２５ａ〜２５ｄにより、レンズシフト機構１８の取り付け部２６ａ〜２６ｄにそれぞれ締結および固定される。レンズシフト機構１８は、Ｘ方向移動ダイヤル２０の操作により、Ｘ方向移動板１９と共にレンズＡを光軸ＯＡに対して垂直な面ＸＹのＸ方向に移動させる。この際、Ｘ方向位置検出センサ２１は、Ｘ方向移動板１９の位置を検出する。またレンズシフト機構１８は、Ｙ方向移動ダイヤル２３の操作により、Ｙ方向移動板２２と共にレンズＡを光軸ＯＡに対して垂直な面ＸＹのＹ方向に移動させる。この際、Ｙ方向位置検出センサ２４は、Ｙ方向移動板２２の位置を検出する。レンズシフト機構１０４は、投射画面１２を、図１（ｂ）の投射エリア１ａから投射エリア１ｂのように有効像円２の内部において移動可能とする。
【００２４】
本実施例における３板式の投射表示装置１００では、２つの要因により色ずれが発生する。第一の要因は、３つの反射型液晶パネル１０１Ｂ、１０１Ｇ、１０１Ｒの相対的な位置ずれである。この要因により、投射画面１２上では、全ての箇所で同一方向および同一量の色ずれが発生する。第二の要因は、投射光学系（投射レンズ１０２）であるレンズＡの像高（使用像高）が異なることである。この要因により、投射画面１２上では、全ての箇所で互いに異なる方向および異なる量の色ずれが発生する。このように投射画面１２上の全ての箇所において、前述の２つの色ずれが合算された色ずれ（色ずれ量および色ずれ方向）が発生する。
【００２５】
ここで、レンズＡに関し、ズームポジションをＷＩＤＥ、投射エリアを投射エリア１ｂ、色ずれ調整を実施するポイント（色ずれ調整ポイント）を図８に示されるポイント７ａ〜７ｅとする。前述のとおり、投射画面１２上のポイント７ｃに対応するポイント３ｃの像高は、投射画面１２上の最大像高３ｆに対して９０％であるため、２．１μｍだけ青光と緑光が色ずれしている。
【００２６】
図４は、本実施例における投射画面上のポジションごとの色ずれ量および色ずれ方向の説明図である。図４（ａ）は、光軸ＯＡに対して垂直なＸＹ平面内における、投射画面上のポジションごとの色ずれ量のベクトル（色ずれ量および色ずれ方向）を示している。図４（ｂ）は、ポイント３ａ〜３ｅと色ずれ（色ずれ量および色ずれ方向）との関係を示している。
【００２７】
本実施例において、色ずれ調整は、投射光学系（投射レンズ１０２、すなわちレンズＡ）の使用像高が異なることにより発生する、全ての箇所で異なる量および異なる方向の色ずれ量を最小化するように行われる。すなわち色ずれ調整は、５つの色ずれ調整実施ポイントにおける最大の色ずれ量が最小になるように行われる。色ずれ調整量は、色ずれ調整実施ポイントおよびそれに対する像高を決定し、予め記憶された光軸方向のレンズ位置ごとの像高と色ずれ量との関係から算出可能である。すなわち、図４（ｂ）は、ポイント３ｃの像高と同じ方法により全て求めることができる。図４（ｂ）から、最大の色ずれポイントは、ポイント７ｃにおける２．１μｍとなる。
【００２８】
図５は、本実施例における最大の色ずれポイントでの色ずれ調整の説明図である。図５において、色ずれベクトル３０ｃ（＝２．１μｍ）を半径とした円４００と、（２．１，０）、（−２．１，０）、（０，２．１）、（０，−２．１）で表される四角５００を点線で示す。色ずれベクトル３０ｃにおいて、青光を緑光に色ずれ調整する際の色ずれ調整ベクトル３００ｃ、３０１ｃを一点鎖線矢印で示す。また、色ずれベクトル３０ｃに対して色ずれ調整（色ずれ調整ベクトル３００ｃ、３０１ｃ）を実施した後の、色ずれ調整後のベクトルを３０００ｃ、３００１ｃとして太線矢印で示す。調整前よりも必ず調整後の色ずれが小さくなるため、色ずれ調整後のベクトル３０００ｃ、３００１ｃは、色ずれベクトル３０ｃを半径とする円４００の範囲内に収まる。すなわち、色ずれ調整ベクトル３００ｃ、３０１ｃは、２．１×２＝４．２μよりも必ず小さくなる。本実施例において、使用する液晶パネルの画素ピッチを４μｍとし、色ずれの最小調整単位を０．１画素とする。すなわち、Ｘ、Ｙ座標上において０．４μｍ単位での色ずれ調整が可能とする。
【００２９】
図６は、色ずれ調整の際の数値処理の説明図である。図６（ａ）は、色ずれ調整ベクトル３００ｃ、３０１ｃ、…をＸ座標、Ｙ座標上で−４．４から４．４まで０．４刻みで、ポイント７ｃにおける色ずれ調整後ベクトルの大きさを算出した結果を示す表である。残りの色ずれ調整を実施するポイント７ａ、７ｂ、７ｄ、７ｅに関しても、ポイント７ｃと同様に色ずれ調整ベクトルごとの色ずれ調整後ベクトルの大きさを算出する。
【００３０】
これにより、色ずれ調整を実施する５つのポイント７ａ〜７ｅにおいて、色ずれ調整を実施した際の色ずれ調整後ベクトルの大きさがＸ座標、Ｙ座標上で−４．４から４．４まで０．４刻みで算出することができる。図６（ｂ）は、同一の色ずれ調整を実施した際、５つの色ずれ調整を実施するポイントにおいて、最大の色ずれ量を選択した結果を示す表である。これにより、Ｘ座標、Ｙ座標上で−４．４から４．４まで０．４刻みのベクトルで色ずれ調整を実施した際の最大色ずれ量を知ることができる。図６（ｂ）の表において、色ずれ調整後ベクトルの大きさが最小の１．６μｍとなる色ずれ調整ベクトル（Ｘ，Ｙ）＝（−０．４，−０．４）が５つの色ずれ調整実施ポイントで最もバランスが取れた色ずれ調整が可能となる。図６（ｃ）は、これを示している。すなわち、投射画面１２において、レンズＡの使用像高が異なることにより発生する色ずれが、（Ｘ，Ｙ）＝（−０．４，−０．４）、色ずれ量０．５７μｍである位置（調整位置）を決定すればよい。
【００３１】
図７は、投射画面上で色ずれ調整の位置を指示することの説明図である。図７（ａ）は、図１（ａ）の一部を拡大した図である。青光と緑光との色ずれ量が色ずれ調整量０．５７μｍとなるのは、像高０．３８である。図７（ｂ）において、像高０．３８となる箇所を示すのが色ずれ調整ベクトル像高３ｇである。更に、（Ｘ，Ｙ）＝（−０．４，−０．４）のなす角度４５度方向を示す線が色ずれ調整の角度５となる。色ずれ調整の角度５と、色ずれ調整ベクトル４（色ずれ量０．５７μｍ）との交点である色ずれ調整指示ポイント６では、レンズＡに起因する色ずれである（Ｘ，Ｙ）＝（−０．４，−０．４）となる色ずれが発生している。投射画面１２上では色ずれ調整指示ポイント６をユーザが認識できるように、十字ポインタを表示する。
【００３２】
色ずれ調整指示ポイント６が指示する位置（調整位置）の色ずれを調整することにより、色ずれ調整を実施する５つのポイント７ａ〜７ｅで、最もバランスが取れた色ずれ調整が可能となる。また、色ずれ調整指示ポイント６における色ずれを調整することにより、３つの液晶パネルの相対的な位置ずれに起因する、全ての箇所で同一方向および同一量の色ずれを同時に調整できる。その結果、色ずれ調整を実施する５つのポイント７ａ〜７ｅで、最大の色ずれは１．６μｍとなる。
【００３３】
本実施例によれば、色ずれ調整を実施する複数のポイントに対して、１度の調整で全てのポイントでバランスの取れた調整を実施することが可能となる。なお、本実施例の色ずれ調整は、例えば３色の光路上に配置した平板ガラスを傾斜可能に構成することにより実現することができる。ただし、色ずれ調整の実施はどのような手段、構成、または、方法でもよく、本実施例で具体的に説明したものに限定されるものではない。
【実施例２】
【００３４】
次に、図６を参照して、本発明の実施例２について説明する。本実施例は、色ずれ調整を実施する５つのポイントの調整後の色ずれ量の総和が最小となるように構成されている点で、色ずれ調整を実施する５ポイントにおける最大の色ずれが最小になるように構成された実施例１とは異なる。本実施例の投射表示装置のその他の構成は、実施例１と同様である。
【００３５】
図６は、本実施例における色ずれ調整の際の数値処理の説明図である。図６（ａ）は、図５（ｂ）に示される色ずれ調整ベクトル３００ｃ、３０１ｃ、…をＸ座標およびＹ座標上で−４．４から４．４まで０．４刻みで算出した、色ずれ調整を実施するポイント７ｃにおける色ずれ調整後ベクトルの大きさを示している。また実施例１と同様に、残りの色ずれ調整を実施するポイント７ａ、７ｂ、７ｄ、７ｅに関しても、ポイント７ｃと同様に、各色ずれ調整ベクトルにおける色ずれ調整後ベクトルの大きさを算出する。実施例１では、同一ベクトルの色ずれ調整を実施する際、色ずれ調整を実施する５つのポイント７ａ〜７ｅにおいて最大の色ずれ量を選択している。一方、本実施例では、色ずれ調整を実施する５つのポイント７ａ〜７ｅの色ずれ量の総和を算出し、図６（ｂ）に示されるように、色ずれ量の総和の最小値の色ずれ調整ベクトル座標を調整位置として決定する。その後の動作は実施例１と同様である。
【００３６】
本実施例によれば、色ずれ調整を実施する複数のポイントに対して、１度の調整で全てのポイントでバランスの取れた調整を実施することが可能となる。
【実施例３】
【００３７】
次に、図８および図９を参照して、本発明の実施例３について説明する。実施例１、２では、図８に示される、色ずれ調整を実施する５つのポイント７ａ〜７ｅにおける色ずれ量を、全て同じ価値として扱っている。しかし、ユーザにとって、色ずれ調整を実施する５つのポイント７ａ〜７ｅで価値に違いがある場合がある。ユーザは、例えばポイント７ｅは、ポイント７ａ〜７ｄに対して、色ずれ量が多少多くても構わないポイントであると考える場合がある。
【００３８】
図８（ｂ）に示されるように、色ずれ調整を実施するポイント７ａ〜７ｄを重要度１のエリア８１とし、色ずれ調整を実施するポイント７ｅを重要度２のエリア８２とする。例えば、重要度２のエリア８２は、重要度１のエリア８１の重要度を１００とした場合、８０の重要度で扱うものとする（すなわち、各ポイントに対して重み付けを行う）。図９は、本実施例における重要度エリアに応じた数値処理（補正処理）の説明図である。図９（ａ）は、色ずれ調整を実施する５つのポイント７ａ〜７ｅの色ずれ量を、全て同じ価値として扱う場合の色ずれ量を示している。図９（ｂ）は、本実施例のようにポイント７ａ〜７ｄとポイント７ｅとの重要度が互いに異なる場合（重み付けを行う場合）の色ずれ量を示している。
【００３９】
このように本実施例は、実施例１、２とは異なり、色ずれ調整を実施する複数のポイントの間で互いに異なる重要度（重み付け）を設定することが可能である。重要度合いは、投射表示装置１００内の制御基板上に予め設定することができ、または、ユーザが適宜設定できるように構成してもよい。好ましくは、ユーザがいずれのポイントに高い重要度を持たせるかを選択できるように構成されている。この際、例えば後述の図１０に示されるように、ユーザが、色ずれ調整ポイントを指定する指定手段１０（操作手段）の操作により選択可能であるようにしてもよい。
【００４０】
本実施例によれば、ユーザの使用状況に応じて、色ずれ調整を実施する複数のポイントに対して、１度の調整で全てのポイントでバランスの取れた調整を実施することが可能となる。
【実施例４】
【００４１】
次に、図１０を参照して、本発明の実施例４について説明する。実施例１乃至３では、色ずれ調整を実行するポイント７の位置（補正対象位置）が予め決定されているが、ユーザが使用状況に応じて、色ずれ調整を実施する調整位置（色ずれ調整を実施するポイント）を選択可能に構成してもよい。図１０は、本実施例における投射表示装置の説明図であり、ユーザが所定の補正範囲を決定することが可能であることを示している。
【００４２】
図１０に示されるように、ユーザは、色ずれ調整ポイントを指定する指定手段１０（操作手段）を用いて画面上の十字ポインタを移動させることにより、色ずれ調整の実施個所（色ずれ調整を実施するポイント１３ａ、１３ｂ）を選択して決定することができる。本実施例によれば、ユーザの使用状況に応じて、ユーザが望む数の色ずれ調整を実施するポイントに対して、１度の調整で全てのポイントで最もバランスの取れた調整を実施することが可能となる。
【００４３】
このように各実施例において、投射表示装置１００は、画像生成手段（反射型液晶パネル１０１Ｒ、１０１Ｇ、１０１Ｂ）、シフト手段（レンズシフト機構１０４）、第１の検出手段（シフト絶対値エンコーダ１０５）、および制御手段（演算装置１０７）を有する。画像生成手段は、画像を生成する。シフト手段は、レンズ１０２ａを含むレンズ手段（投射レンズ１０２）を光軸ＯＡと直交する方向に移動させる。第１の検出手段はシフト手段の位置を検出する。制御手段は、１つの調整位置における色ずれ量を小さくすることによって、投射画面上で（予め）設定された複数の補正対象位置（例えば、ポイント７ａ〜７ｅ）における色ずれ量が小さくなるように、１つの調整位置を決定する。このとき、１つの調整位置は、光軸方向におけるレンズの位置と、光軸と直交する方向におけるシフト手段の位置と、レンズの位置およびシフト手段の位置に応じて変化する色ずれ情報とに基づいて決定される。
【００４４】
好ましくは、制御手段は、複数の補正対象位置における色ずれ量の最大値が最小となるように色ずれ調整可能な１つの調整位置を決定する。また好ましくは、制御手段は、複数の補正対象位置における色ずれ量の総和が最小となるように色ずれ調整可能な１つの調整位置を決定する。より好ましくは、制御手段は、複数の補正対象位置に応じた重み付けを行って１つの調整位置を決定する。また好ましくは、投射表示装置は、複数の補正対象位置をユーザが指定可能な指定手段１０を更に有する。
【００４５】
好ましくは、制御手段は、決定された１つの調整位置を投射画面上に表示する。また好ましくは、制御手段は、決定された１つの調整位置に対して色ずれ調整を行う。制御手段により自動的に色ずれ調整が行われる場合、制御手段は１つの調整位置を投射画面上に表示しなくてもよい。
【００４６】
好ましくは、投射表示装置は、レンズ手段（投射レンズ１０２）、第２の検出手段（レンズ絶対値エンコーダ１０３）、および、記憶手段（メモリ１０６）を更に有する。レンズ手段は、レンズ１０２ａを含み、レンズ１０２ａを光軸方向に移動可能である。第２の検出手段は、レンズ１０２ａの光軸方向における位置を検出する。記憶手段は、色ずれ情報を記憶する。レンズ手段が投射表示装置に対して着脱可能に構成される交換レンズである場合、第２の検出手段および記憶手段がレンズ手段側に設けられている構成であってもよい。このとき好ましくは、制御手段は、レンズ手段に設けられた記憶手段に記憶された色ずれ情報に基づいて、１つの調整位置を決定する。
【００４７】
好ましくは、制御手段は、レンズの位置、シフト手段の位置、および、色ずれ情報に基づいて、１つの調整位置を演算により決定する。また好ましくは、制御手段は、レンズの位置、シフト手段の位置、および、色ずれ情報と投射画面上の各位置との関係を示す情報（テーブルデータ）に基づいて、１つの調整位置を決定する。
【００４８】
好ましくは、画像生成手段は、複数の補正対象位置の色ずれ量を小さくする補正手段である。また好ましくは、画像生成手段は、互いに異なる色（Ｒ、Ｇ、Ｂ）の画像を生成する複数の画像生成素子（反射型液晶パネル１０１Ｒ、１０１Ｇ、１０１Ｂ）を有する。
【００４９】
各実施例によれば、画面全体でバランスのとれた色ずれ調整を短時間で簡易に実行可能な投射表示装置を提供することができる。
【００５０】
以上、本発明の好ましい実施形態について説明したが、本発明はこれらの実施形態に限定されず、その要旨の範囲内で種々の変形及び変更が可能である。
【００５１】
本実施例では、色ずれ調整を実施する５ポイントにおける最大の色ずれが最小になるようにした実施例１と、色ずれ調整を実施する５つのポイントの調整後の色ずれ量の総和が最小となるようにした実施例２を説明した。しかし、たとえば、色ずれ量をユーザが望む所定の目標値として設定し、それに対して調整することもできる。色ずれ量の目標値は限定されず、複数の調整実施ポイントにおける最適調整を一度の調整で実施する要旨の範囲で変形および変更が可能である。また各実施例において、色ずれ調整実施ポイントの数は限定されるものではない。また、各実施例を組み合わせることもできる。
【符号の説明】
【００５２】
１００  投射表示装置
１０１Ｒ、１０１Ｇ、１０１Ｂ  反射型液晶パネル（画像生成手段）
１０４  レンズシフト機構（シフト手段）
１０５  シフト絶対値エンコーダ（第１の検出手段）
１０７  演算装置（制御手段）
【図５】
2016102960.tif 000003
【図８】
2016102960.tif 000004
【図１０】
2016102960.tif 000005
【図１】
2016102960.tif 000006
【図２】
2016102960.tif 000007
【図３】
2016102960.tif 000008
【図４】
2016102960.tif 000009
【図６】
2016102960.tif 000010
【図７】
2016102960.tif 000011
【図９】
2016102960.tif 000012
【図１１】
2016102960.tif 000013
【図１２】
2016102960.tif 000014
【図１３】
2016102960.tif 000015